(57)【要約】【課題】高い計測精度を備える計測器を提供する。【解決手段】高い計測精度を備える計測器において、計測組32のスライド移動装置35は機台31上に設置するスライドレール351、及びスライドレール351上で移動可能なスライド台352を備え、スライドレール351の両側にはスライド槽3511を開設し、スライド台352にはスライド槽3511に嵌合する嵌合部3521を形成し、嵌合部3521上で、しかもスライド槽3511と接触する面には複数のローリングボール3522を嵌めて設置し、スライド台352の嵌合部3521とスライドレール351のスライド槽3511との相互対応により、スライド台352は精確、スムーズに移動を行え、さらに挟持装置33の補助を合わせて、被計測物件4を安定的にサポートする効果を達成し、これにより計測装置が計測して得られたデータはより高い精度を実現できる。【選択図】図５
2014134539.tif 000002
【特許請求の範囲】
【請求項１】
高い計測精度を備える計測器は、機台、前記機台上に設置する計測組、挟持装置、駆動ユニットを備え、
前記計測組は、前記機台上に設置し、しかも被計測物件を挟持する挟持装置、被計測物件に対して計測を行う計測装置、前記機台上に設置するスライド移動装置を備え、
前記挟持装置は、前記機台上に設置する駆動ユニット、及び少なくとも１個の被計測物件を圧迫して押さえる圧迫固定ユニットを備え、
前記駆動ユニットは、前記機台上に固定して設置する本体、並列して設置し、しかも前記本体を貫通するシャフト、及び前記各シャフトの回転を連動できる作動部品を備え、
前記スライド移動装置は、前記機台上に設置するスライドレール、及び前記スライドレール上で移動可能なスライド台を備え、前記スライドレールの両側辺には、スライド槽を開設し、前記スライド台には、前記スライド槽に嵌合する嵌合部を形成し、前記嵌合部1上で、しかも前記スライド槽と接触する表面には、複数のローリングボールを嵌めて設置することを特徴とする高い計測精度を備える計測器。
【請求項２】
前記計測装置は、前記スライド台上に設置することを特徴とする請求項１に記載の高い計測精度を備える計測器。
【請求項３】
前記スライド台上には、サポート装置を設置し、
前記サポート装置は、前記スライド台上に設置するサポート台、及び前記サポート台上に並列して可動状に設置するサポート部品を備え、
前記各シャフト間と前記各サポート部品間に、被計測物件はちょうど跨いで設置されることを特徴とする請求項１に記載の高い計測精度を備える計測器。
【請求項４】
前記各サポート部品は、一体成型軸棒であることを特徴とする請求項３に記載の高い計測精度を備える計測器。
【請求項５】
前記圧迫固定ユニットは、被計測物件の中段位置をちょうど圧迫して押さえることを特徴とする請求項３に記載の高い計測精度を備える計測器。
【請求項６】
前記機台上で、しかも前記スライドレール横には別に、圧迫固定スライドレールを設置し、
しかも、前記圧迫固定ユニットは、圧迫固定スライドレール上にスライド移動可能状に設置することを特徴とする請求項３に記載の高い計測精度を備える計測器。
【請求項７】
前記圧迫固定ユニットは、台体を備え、
前記台体上に設置する押上げ圧迫棒、及び前記押上げ圧迫棒一端と前記台体との間に設置する弾性部品を備え、
前記押上げ圧迫棒反対端には、被計測物件を圧迫して押さえる少なくとも１個の圧迫ホイールを可動状に設置することを特徴とする請求項２或いは３に記載の高い計測精度を備える計測器。
【請求項８】
前記挟持装置には、２組の圧迫固定ユニットを設置し、それぞれ被計測物件の両端をそれぞれ押さえることを特徴とする請求項３に記載の高い計測精度を備える計測器。
【請求項９】
前記各圧迫固定ユニットは、前記本体、前記サポート台上にそれぞれ設置することを特徴とする請求項８に記載の高い計測精度を備える計測器。
【発明の詳細な説明】
【技術分野】
【０００１】
本発明は計測器に関し、特に高い計測精度を備える計測器に関する。
【背景技術】
【０００２】
被計測物件(ネジ、ナット、クギ等)は量産前に、必ず製造規格サイズの計測プロセスを経る必要があり、これにより後続の量産の品質を確保することができる。
【０００３】
一般には、計測器（湾曲計測器、長さ計測器、真円度計測器等）を利用し、被計測物件に対して規格の計測を行う。
【０００４】
図１に示すように、従来の計測器1は、機台11、及び機台11上に設置する計測組12を備える。
【０００５】
計測器1の計測対象は、長さが比較的短い被計測物件2が主である。
【０００６】
計測組12は、機台11上に設置し、しかも被計測物件2を挟持可能な挟持装置13、挟持装置13と相対して設置する計測装置14、機台11上に設置するスライド移動装置15を備える。
【０００７】
スライド移動装置15は、機台11上に相互に平行に設置する２個のスライド棒151、及び各スライド棒151を通して設置し、各スライド棒151上において移動するスライド台152を備える。
【０００８】
計測装置14は、スライド台152の上方に設置する。
【０００９】
計測を行う際には、挟持装置13により、被計測物件2を挟持した後、スライド台152を移動させ、計測装置14を適当な計測位置まで移動させ、被計測物件2の規格を計測する。
【００１０】
しかし、従来の計測器1は、被計測物件2を計測する時、各スライド棒151がスライド台152に通して設置されるため、移動可能なスライド台152と各スライド棒151とは、完全接触状態を呈する。
【００１１】
これにより、スライド台152と各スライド棒151との間の抵抗力が拡大し、スライド台152のスライド移動のスムーズさが低下してしまい、スライド台152と各スライド棒151との磨耗を招く。
【００１２】
これは、スライド台152と各スライド棒151との間の隙間を徐々に拡大させてしまう。
【００１３】
これでは、計測装置14に揺れがおきやすくなり、計測装置14が計測した数値の精度を低下させ、計測数値を不精確としてしまう。
【００１４】
図２に示すように、長さが比較的長い被計測物件2を計測する場合には、通常は、別の従来の計測器1により計測を行う。
【００１５】
それは、機台11、計測組12、挟持装置13、計測装置14、スライド移動装置15を備える。
【００１６】
その細部構成部材は、前記した従来の構造と同様であるため、詳述しない。
【００１７】
スライド移動装置15上には、サポート装置16を設置する。
【００１８】
同時に、サポート装置16は、スライド台152上に設置するサポート台161、サポート台161上に並列設置する２個のサポート部品162を備える。
【００１９】
各サポート部品162は、サポート台161外に突出状に設置する軸心1621、及び軸心1621上に嵌めて設置するベアリング1622を備える。
【００２０】
計測を行う時には、先ず、被計測物件2一端を、挟持装置13上にセットし、一端は挟持装置13に固定される。
【００２１】
同時に、被計測物件2の反対端を、各ベアリング1622間にセットし、計測装置14の計測の便を図る。
【００２２】
しかし、実際の使用後に、以下の問題があることが発見された。
１.各サポート部品162のベアリング1622内部には、一般に複数のボール体P（図３参照)を設置し、内部は通常は、潤滑液（図示なし）を充填するための空間Sがあり、これにより各ボール体Pは、ベアリング1622中でローリングすることができる。しかし、被計測物件2一端が各ベアリング1622上にセットされ、しかも反対端が挟持装置13の固定を受ける時、空間Sを残すことで、各ベアリング1622は、被計測物件2それ自身の重量、挟持装置13の係合固定の力を受け、偏移現象を生じ、被計測物件2が動いてしまい、異なる方向の偏移及び歪みを呈する。これにより、計測装置14が計測したデータに偏差が生じる。こうして、計測者は、計測データを誤判断してしまい、計測者の被計測物件2の加工データが合格サイズ規範に適合しているか否かの判断に影響を及ぼし、さらには後続の量産作業にも悪影響を及ぼしてしまう。
２．各ベアリング1622の製造においては、多くが公差の問題が存在する。そのため、ベアリング1622を軸心1621上に嵌めて設置しても揺れ動きが生じる。さらに、ベアリング1622内には空間Sが残されており、計測装置14の計測精度に影響を及ぼす原因となっている。
３．挟持装置13は、被計測物件2の一端だけを挟持し、被計測物件2の反対端は、自らの重さにより各ベアリング1622上に置かれているだけであるため、被計測物件2の長さが長くなると、被計測物件2が外力或いは計測時の回転によりサポート装置16上において傾き易く(図４の点線参照)、計測装置14は被計測物件2の数値を精確に計測できなくなってしまう。
【００２３】
本発明は、従来の計測器の上記した欠点に鑑みてなされたものである。
【発明の概要】
【発明が解決しようとする課題】
【００２４】
本発明が解決しようとする課題は、計測装置は精確で、スムーズに移動でき、しかも被計測物件は安定的にサポートされ、精密計測効果を達成し、後続の加工、量産作業に有利となる高い計測精度を備える計測器を提供することである。
【課題を解決するための手段】
【００２５】
上記課題を解決するため、本発明は下記の高い計測精度を備える計測器を提供する。
【００２６】
高い計測精度を備える計測器は、機台、及び該機台上に設置する計測組、機台上に設置するスライド移動装置、スライドレール上で移動可能なスライド台を備え、
該計測組は、該機台上に設置し、しかも被計測物件を挟持する挟持装置、被計測物件に対して計測を行う計測装置を備え、
該スライド移動装置は、該機台上に設置し、しかも両側にスライド槽を開設するスライドレールを備え、
該スライド台には、スライド槽に嵌合する嵌合部を形成し、該嵌合部上で、しかも該スライド槽と接触する表面には、複数のローリングボールを嵌めて設置し、
該スライド台の嵌合部が、該スライドレールのスライド槽と相互に対応し、安定的な移動を達成し、該挟持装置、該サポート装置の設計を対応させ、被計測物件は計測過程の回転作業においてより安定的な定位を達成するため、計測装置をスライド台上に設置し、サイズが短い被計測物件を計測する際にも、或いは適時サポートユニットをスライド台上に増設し、サイズが長い被計測物件を計測する際にも、計測装置の計測精度を向上させることができる。
【発明の効果】
【００２７】
本発明の高い計測精度を備える計測器は、嵌合部のローリングボールとスライド槽の対応を通して、安定的な移動を達成し、及び挟持装置、サポート装置の設計を対応させ、被計測物件の計測過程中の回転作業は安定的に定位され、計測装置の計測精度を向上させ、こうして計測器計測のデータの正確性を確保することができる。
【図面の簡単な説明】
【００２８】
【図１】従来の計測器一の模式図である。
【図２】従来の計測器二の模式図である。
【図３】図２に示す計測器のサポート装置の断面模式図である。
【図４】図２に示す計測器の挟持装置の状態模式図である。
【図５】本発明第一実施形態の立体模式図である。
【図６】本発明第一実施形態の部分断面図である。
【図７】本発明第一実施形態の実施の様子を示す模式図である。
【図８】本発明第二実施形態の組合せ模式図である。
【図９】本発明第二実施形態の実施の様子を示す模式図である。
【図１０】本発明第三実施形態の立体分解図である。
【図１１】本発明第三実施形態の実施の様子を示す模式図である。
【図１２】本発明第四実施形態の立体模式図である。
【図１３】本発明第四実施形態の実施の様子を示す模式図である。
【発明を実施するための形態】
【００２９】
以下に本発明の技術内容、構造特徴、達成する目的及び作用効果について、以下に例を挙げ並びに図面を組み合わせて詳細に説明する。
【実施例】
【００３０】
図５、６に示すように、本発明高い計測精度を備える計測器3の第一実施形態において、計測器3は、機台31、及び機台31上に設置する計測組32を備える。
【００３１】
計測組32は、機台31上に設置し、しかも被計測物件4を挟持する挟持装置33、被計測物件4に対して計測を行う計測装置34、及び機台31上に設置するスライド移動装置35を備える。
【００３２】
挟持装置33は、機台31上に設置する駆動ユニット331、及び被計測物件4を押さえることができる少なくとも１個の圧迫固定ユニット332を備える。
【００３３】
駆動ユニット331は、機台31上に固定して設置する本体3311、並列して設置し、しかも本体3311を貫通するシャフト3312、及び各シャフト3312の回転を連動できる作動部品3313を備える。
【００３４】
圧迫固定ユニット332は、台体3321、台体3321上に設置する押上げ圧迫棒3322、押上げ圧迫棒3322一端と台体3321との間に設置する弾性部品3323、及び押上げ圧迫棒3322反対端に可動状に設置し、しかも被計測物件4を圧迫して押さえる圧迫ホイール3324を備える。
【００３５】
スライド移動装置35は、機台31上に設置するスライドレール351、及びスライドレール351上で移動可能なスライド台352を備える。
【００３６】
スライドレール351の両側辺には、スライド槽3511を開設する。
【００３７】
スライド台352上には、スライド槽3511に嵌合する嵌合部3521を形成する。
【００３８】
嵌合部3521上で、しかもスライド槽3511と接触する表面には、複数のローリングボール3522を嵌めて設置する。
【００３９】
計測装置34の位置設置は、被計測物件4のサイズに応じて調整することができる。
本実施例中では、サイズが短い被計測物件4を計測するなら、計測装置34は、スライド台352上に設置する例により説明する。
【００４０】
図５〜７に示すように、計測器3により、被計測物件4の計測を行う時には、先ず被計測物件4を各シャフト3312上に置く。
【００４１】
弾性部品3323の弾性回復力は、押上げ圧迫棒3322を押し上げることができ、これにより圧迫固定ユニット332の圧迫ホイール3324は、被計測物件4を、各シャフト3312の間に緊密に圧迫して固定する。
【００４２】
さらに、スライド台352を通して、スライドレール351上でスライド移動させ、計測装置34を適当な計測位置まで同期に移動させる。
【００４３】
この時、さらに作動部品3313を利用し、各シャフト3312の回転を連動する。
【００４４】
こうして、被計測物件4の回転を連動し、これにより計測装置34は計測を行うことができる。
【００４５】
スライド移動の過程では、各嵌合部3521を通して、各スライド槽3511内に嵌合する。
【００４６】
よって、スライド台352は、安定的で平均したサポート力を獲得することができ、スライド台352はより安定的に移動し、ガタガタすることはない。
【００４７】
これにより、スライド台352上の計測装置34の計測をより精確にすることができ、各ローリングボール3522は、スライド台352とスライドレール351移動過程の摩擦力を減らすことができる他、スライド台352とスライドレール351との磨損により間隙が大きくなるという問題を回避することができる。
【００４８】
こうして、計測器3は最良の計測精度を維持することができる。
【００４９】
図８に示すように、本発明の第二実施形態では、計測器3はさらに、機台31、計測組32、挟持装置33、計測装置34、スライド移動装置35を備える。
【００５０】
各細部構成部材とその効果は皆、第一実施例と相同であるため、詳述しない。
両者の相違点を以下に記載する。
【００５１】
スライド移動装置35のスライド台352上には、サポート装置36を設置する。
【００５２】
サポート装置36は、スライド台352上に設置するサポート台361、及びサポート台361上に並列して可動状に設置するサポート部品362を備える。
【００５３】
各シャフト3312間と各サポート部品362間に、ちょうど被計測物件4は跨いで設置される。
【００５４】
また、計測装置34は、機台31の片側に設置でき、圧迫固定ユニット332の位置は、使用のニーズに応じて調整を行う。
【００５５】
例えば、圧迫固定ユニット332の台体3321は、挟持装置33の駆動ユニット331上に直接固定して設置し、或いは台体3321は、機台31上に直接固定して設置することができる。
【００５６】
或いは、図に示すように、機台31上で、しかもスライドレール351横に別に圧迫固定スライドレール3325を設置することができる。
【００５７】
これにより、同時に、圧迫固定ユニット332は、圧迫固定スライドレール3325上でスライド移動可能状に設置する。
【００５８】
例えば、圧迫固定ユニット332の台体3321底部は、圧迫固定スライドレール3325と相互に対応するスライド台設計とし、これにより圧迫固定スライドレール3325上に台体3321を設置し移動可能とする。
【００５９】
こうして、圧迫固定ユニット332の圧迫ホイール3324を調整し、被計測物件4の位置を押す。
【００６０】
本実施例は、圧迫固定ユニット332を圧迫固定スライドレール3325上に設置することで、スライド式を呈する例を以て説明する。
【００６１】
図８に示すように、計測時には、被計測物件4の長さに応じて、スライド台352のスライドレール351上での移動位置を調整し、各シャフト3312と各サポート部品362との間の距離を制御する。
【００６２】
これにより、各シャフト3312と各サポート部品362との間の距離は、被計測物件4をちょうど両端に跨がせて設置可能となる。
【００６３】
さらに、台体3321を通して、圧迫固定スライドレール3325上でスライド移動し、これにより圧迫固定ユニット332は、被計測物件4を押さえようとする位置まで移動する。
【００６４】
圧迫固定ユニット332の最良の押さえる位置は、被計測物件4中段位置である(図９参照)。
【００６５】
よって、その下向きに押さえる力は、被計測物件4の両端、即ち圧迫ホイール3324と被計測物件4との接触点、被計測物件4両端と各シャフト3312と間、各サポート部品362間上に、平均に分担される。
【００６６】
こうして、三点で支えて固定する状態を形成し、被計測物件4は、安定的に、駆動ユニット331、サポート装置36上に跨ぎ固定される。
【００６７】
これにより、計測装置34による計測作業を受ける時、被計測物件4が計測過程でぐらつき、或いは回転することを回避できる。
【００６８】
こうして、従来の構造におけるように、被計測物件2の一端が跳ね上がり或いは偏移する状況を防止でき、こうして安定的なサポート、高精度の計測効果を達成することができる。
【００６９】
本発明の第三実施形態である図１０に示すように、計測器3は第二実施例と相同の構成部材を備えるため、詳細な説明は行わない。
【００７０】
圧迫固定ユニット332は、２組する。
【００７１】
各圧迫固定ユニット332はそれぞれ、駆動ユニット331、サポート装置36上に設置する。
【００７２】
即ち、各圧迫固定ユニット332の圧迫ホイール3324は、それぞれ各シャフト3312と各サポート部品362の上方に位置し、第二実施例のスライド式圧迫固定ユニットに置換する。
【００７３】
よって、被計測物件4が駆動ユニット331、サポート装置36に設置されると、各圧迫ホイール3324は、被計測物件4の両端をそれぞれ安定的に、駆動ユニット331のシャフト3312、サポート装置36のサポート部品362上に挟持する（図１１参照)。
【００７４】
こうして、計測過程での誤動、或いはぐらつきにより、被計測物件4が偏移することを回避できる。
【００７５】
これにより、計測装置34の正確な計測を確保し、高精度の計測効果を達成することができる。
【００７６】
図１２、１３に示すように、本発明の第四実施形態は、第二実施例と相同の構成部材を備えるため、詳細な説明は行わない。
【００７７】
サポート装置36の各サポート部品362は、一体成型軸棒で、しかも一切のベアリングをその上に嵌める必要がない。
【００７８】
そのため、各サポート部品362は、従来のベアリング内部のように空間を残すことによる問題がなく、被計測物件4を安定的にその上に設置でき、圧迫固定装置332が下向きに押し、或いは被計測物件4が自身の重量で、ベアリングを偏移させるという問題の発生を回避できる。
【００７９】
こうして、被計測物件4の回転時に、歪み或いは偏移の状況は確実に発生しなくなり、これにより計測装置34は、被計測物件4の規格を正確に計測可能となり、後続の加工、量産作業に有利となる。
【００８０】
上記したように、本発明の高い計測精度を備える計測器は、スライド移動装置のスライドレール、スライド台設計により、スライドレールの両側辺に、スライド槽を開設し、スライド台はスライド槽に嵌合する嵌合部を形成し、しかも嵌合部上には複数のローリングボールを嵌めて設置する。
【００８１】
これにより、嵌合部のローリングボールとスライド槽の対応を通して、安定的な移動を達成し、及び挟持装置、サポート装置の設計を対応させ、被計測物件の計測過程中の回転作業は安定的に定位され、計測装置の計測精度を向上させ、こうして計測器計測のデータの正確性を確保することができる。
【００８２】
上記の本発明名称と内容は、本発明技術内容の説明に用いたのみで、本発明を限定するものではない。本発明の精神に基づく等価応用或いは部品（構造）の転換、修飾、置換、数量の増減はすべて、いずれも本発明の権利請求範囲内に属する。置換、数量の増減はすべて、本発明の保護範囲に含むものとする。
【産業上の利用可能性】
【００８３】
本発明は特許登録の要件である新規性を備え、従来の同類製品に比べ十分な進歩を有し、実用性が高く、社会のニーズに合致しており、産業上の利用価値は非常に大きい。
【符号の説明】
【００８４】
3  計測器
31  機台
32  計測組
33  挟持装置
331  駆動ユニット
3311  本体
3312  シャフト
3313  作動部品
332  圧迫固定ユニット
3321  台体
3322  押上げ圧迫棒
3323  弾性部品
3324  圧迫ホイール
3325  圧迫固定スライドレール
34  計測装置
35  スライド移動装置
351  スライドレール
352  スライド台
3511  スライド槽
3521  嵌合部
3522  ローリングボール
36  サポート装置
361  サポート台
362  サポート部品
4  被計測物件
【図１】
2014134539.tif 000003
【図２】
2014134539.tif 000004
【図３】
2014134539.tif 000005
【図４】
2014134539.tif 000006
【図５】
2014134539.tif 000007
【図６】
2014134539.tif 000008
【図７】
2014134539.tif 000009
【図８】
2014134539.tif 000010
【図９】
2014134539.tif 000011
【図１０】
2014134539.tif 000012
【図１１】
2014134539.tif 000013
【図１２】
2014134539.tif 000014
【図１３】
2014134539.tif 000015